(57)【特許請求の範囲】
【請求項１】
筐体と、前記筐体の端部に取り付けられた光アダプタと、前記筐体内に搭載される光送信アセンブリとを備えた光モジュールにおいて、
前記光送信アセンブリは、光信号を出射する複数の発光素子を有するＴＯＳＡと、前記ＴＯＳＡと電気的に接続される回路基板とを備え、
前記ＴＯＳＡは、前記回路基板と対向する面に前記複数の発光素子がそれぞれＣＡＮパッケージに収納された形態で当該対向面とは反対側の面に向かって発光する向きで前記筐体の短辺方向に２つ並列配置され、かつ前記筐体の長辺方向に少なくとも２つ並列配置されたＴＯＳＡベースと、前記ＴＯＳＡベースに設置される光部品と、前記光アダプタに挿入された光コネクタと光接続させるためのスリーブと、を有し、
前記光部品は、前記複数の発光素子から前記反対側の面に向かって発光された前記光信号のそれぞれを反射させる複数の第１の光部品と、前記第１の光部品によって反射された前記光信号を合波して波長多重光とする複数の第２の光部品と、前記波長多重光とされた前記光信号を前記回路基板と対向する面に向かって反射させる第３の光部品と、前記第３の光部品によって反射された前記光信号を前記ＴＯＳＡベースの光出射面に設置される前記スリーブに向かって反射させる第４の光部品とを含み、
平面視において、前記スリーブは、前記筐体の長辺方向に沿って配置された複数の前記ＣＡＮパッケージの延長線上に配置されることを特徴とする光モジュール。
【請求項２】
前記複数の第１の光部品、前記複数の第２の光部品、及び前記第３の光部品は、同一平面上に設置されていることを特徴とする請求項１に記載の光モジュール。
【請求項３】
前記複数の第１の光部品、前記複数の第２の光部品、前記第３の光部品、及び前記第４の光部品は、前記光信号の反射角度が略９０°となるように設置されていることを特徴とする請求項１又は請求項２に記載の光モジュール。
【請求項４】
前記複数の第１の光部品はミラーであり、前記複数の第２の光部品はミラー、コリメータレンズ、及びフィルタであり、前記第３の光部品はミラーであり、前記第４の光部品は、ミラーであることを特徴とする請求項１乃至３の何れか１項に記載の光モジュール。
【請求項５】
前記複数の発光素子は、第１の発光素子、第２の発光素子、第３の発光素子、第４の発光素子からなり、前記筐体の短辺方向に前記第１の発光素子と前記第３の発光素子からなる列と前記第２の発光素子と前記第４の発光素子からなる列が並列配置され、前記筐体の長辺方向において前記第１の発光素子、前記第２の発光素子、前記第３の発光素子、前記第４の発光素子の順で並ぶように、前記第１の発光素子と前記第３の発光素子からなる列と前記第２の発光素子と前記第４の発光素子からなる列とが前記筐体の長辺方向にずらして配置されており、
前記複数の第１の光部品は、
前記第１の発光素子が出射した光を前記筐体の短辺方向であって前記第２の発光素子と前記第４の発光素子からなる列側へ向かう方向に反射する第１のミラーと、
前記第２の発光素子が出射した光を前記筐体の短辺方向であって前記第１の発光素子と前記第３の発光素子からなる列側へ向かう方向に反射する第２のミラーと、
前記第３の発光素子が出射した光を前記筐体の短辺方向であって前記第２の発光素子と前記第４の発光素子からなる列側へ向かう方向に反射する第３のミラーと、
前記第４の発光素子が出射した光を前記筐体の短辺方向であって前記第１の発光素子と前記第３の発光素子からなる列側へ向かう方向に反射する第４のミラーと、
前記第４のミラーで反射された前記第４の発光素子からの光を前記筐体の長辺方向であって前記第１の発光素子側へ向かう方向に反射する第５のミラーと、
前記第３のミラーで反射された前記第３の発光素子からの光を前記筐体の長辺方向であって前記第２の発光素子側へ向かう方向に反射する第６のミラーと、を備え、
前記複数の第２の光部品は、
前記第２のミラーで反射された前記第２の発光素子からの光を前記筐体の長辺方向であって前記第１の発光素子側へ向かう方向に反射するとともに、前記第５のミラーで反射された前記第４の発光素子からの光を透過して、前記第２の発光素子からの光と前記第４の発光素子からの光を合波する、第１のフィルタと、
前記第１のミラーで反射された前記第１の発光素子からの光を前記筐体の長辺方向であって前記第２の発光素子側へ向かう方向の反対方向に反射するとともに、前記第６のミラーで反射された前記第３の発光素子からの光を透過して、前記第１の発光素子からの光と前記第３の発光素子からの光を合波する、第２のフィルタと、
前記第２のフィルタで合波された前記第１の発光素子からの光と前記第３の発光素子からの光を前記筐体の短辺方向であって前記第１の発光素子と前記第３の発光素子からなる列側へ向かう方向に反射する第７のミラーと、
前記第７のミラーで反射された前記第１の発光素子からの光と前記第３の発光素子からの光を前記筐体の長辺方向であって前記第１の発光素子側へ向かう方向の反対方向に反射するとともに、前記第１のフィルタで合波された前記第２の発光素子からの光と前記第４の発光素子からの光を透過して、前記第１の発光素子からの光、前記第２の発光素子からの光、前記第３の発光素子からの光、前記第４の発光素子からの光を合波する、第３のフィルタとを備えることを特徴とする請求項１乃至４の何れか１項に記載の光モジュール。
【請求項６】
前記複数の発光素子は、前記筐体の短辺方向に２つ並列配置される際に、前記筐体の長辺方向にずらして並列配置されることを特徴とする請求項１乃至５の何れか１項に記載の光モジュール。
【請求項７】
前記複数の発光素子は、前記筐体の短辺方向に２つ並列配置された前記発光素子のそれぞれの列において、前記筐体の長辺方向に２つ並列配置されることを特徴とする請求項１乃至６の何れか１項に記載の光モジュール。
【請求項８】
前記回路基板は、前記ＴＯＳＡが実装される第１のフレキシブル基板及び前記第１のフレキシブル基板と連結される第１のリジッド基板を備え、前記第１のフレキシブル基板は、前記ＴＯＳＡと対向する面に前記複数の発光素子と接続される複数の接合部を有することを特徴とする請求項１乃至７の何れか１項に記載の光モジュール。
【請求項９】
前記回路基板は、２階建て構造を有しており、２階部分として、前記第１のフレキシブル基板及び前記第１のリジッド基板を備え、１階部分として、連結フレキシブル基板を介して前記第１のリジッド基板と連結される第２のリジッド基板を備えることを特徴とする請求項８に記載の光モジュール。
【請求項１０】
前記第１のリジッド基板には、送信用の部品が配置され、配線がなされていることを特徴とする請求項８又は請求項９に記載の光モジュール。
【発明の詳細な説明】
【技術分野】
【０００１】
本発明は、光モジュールに関し、特にＷＤＭ(Wavelength Division Multiplexing)用の小型光モジュールに関する。
【背景技術】
【０００２】
近年、光モジュールのＷＤＭ化が求められている。例えば、複数の光源から発光された異なる波長の光信号を結合して波長多重化する光送信サブアセンブリ（ＴＯＳＡ：Transmitter Optical Sub Assembly）を備えた光モジュールに用いられるＴＯＳＡとして、ＬＤ（レーザーダイオード）を収納したＣＡＮパッケージを４つ同じ方向に向けて一列に並べて配置させたＴＯＳＡが知られている（特許文献１及び特許文献２参照）。
【０００３】
一方、近年、光トランシーバ等の光モジュールの更なる小型化が求められている。例えば、４０ＧｂＥ接続に対応する光ファイバの光トランシーバ規格である「ＱＳＦＰ＋（Quad Small Form-factor Pluggable Plus）」に対応した、小型光トランシーバが求められており、特にＷＤＭ用の小型光トランシーバが求められている。
【先行技術文献】
【特許文献】
【０００４】
【特許文献１】特開２００７−２７９５０７号公報
【特許文献２】特開２００８−２０３４２７号公報
【発明の概要】
【発明が解決しようとする課題】
【０００５】
しかしながら、ＷＤＭ用小型光トランシーバ、例えばＱＳＦＰ＋規格に準拠したＷＤＭ用小型光トランシーバに、従来のＴＯＳＡ、例えば上記の特許文献１等に記載のＴＯＳＡを用いようとすると、所定の大きさのＣＡＮパッケージを４つ横に並べるスペースを要するため、その部分に基板を置くことができず、基板面積が減るので、部品の高密度実装が難しくなる。また、基板が横長となるため、横方向に部品を配置することになり、縦方向への部品配置が難しく、配線効率が悪い。さらに、ＱＳＦＰ＋規格に準拠した小型光トランシーバは、カードエッジをインターフェースとして外部とやり取りを行うが、小型化によりカードエッジ部までの基板面積が狭いため、配線が困難であり、このような場合に、狭ピッチで配線をするとクロストークの影響が懸念される。
【０００６】
すなわち、従来のＴＯＳＡを、ＷＤＭ用小型光トランシーバ、例えばＱＳＦＰ＋規格に準拠したＷＤＭ用小型光トランシーバに用いることは困難であった。
【０００７】
そこで、本発明の目的は、ＷＤＭ用小型光トランシーバ、例えばＱＳＦＰ＋規格に準拠したＷＤＭ用小型光トランシーバにおいても高密度実装を可能とする構造を備えた光モジュールを提供することにある。
【課題を解決するための手段】
【０００８】
本発明は、上記目的を達成するために、下記［１］〜［１１］の光モジュールを提供する。
【０００９】
［１］筐体と、前記筐体の端部に取り付けられた光アダプタと、前記筐体内に搭載される光送信アセンブリとを備えた光モジュールにおいて、
前記光送信アセンブリは、光信号を出射する複数の発光素子を有するＴＯＳＡと、前記ＴＯＳＡと電気的に接続される回路基板とを備え、
前記ＴＯＳＡは、前記回路基板と対向する面に前記複数の発光素子が当該対向面とは反対側の面に向かって発光する向きで前記筐体の短辺方向に２つ並列配置され、かつ前記筐体の長辺方向に少なくとも２つ並列配置されたＴＯＳＡベースと、前記ＴＯＳＡベースに設置される光部品とを有し、
前記光部品は、前記複数の発光素子から前記反対側の面に向かって発光された前記光信号のそれぞれを反射させる複数の第１の光部品と、前記第１の光部品によって反射された前記光信号を合波して波長多重光とする複数の第２の光部品と、前記波長多重光とされた前記光信号を前記回路基板と対向する面に向かって反射させる第３の光部品と、前記第３の光部品によって反射された前記光信号を前記ＴＯＳＡベースの光出射面に向かって反射させる第４の光部品とを含むことを特徴とする光モジュール。
【００１０】
［２］前記複数の第１の光部品、前記複数の第２の光部品、及び前記第３の光部品は、同一平面上に設置されていることを特徴とする前記［１］に記載の光モジュール。
【００１１】
［３］前記複数の第１の光部品、前記複数の第２の光部品、前記第３の光部品、及び前記第４の光部品は、前記光信号の反射角度が略９０°となるように設置されていることを特徴とする前記［１］又は前記［２］に記載の光モジュール。
【００１２】
［４］前記複数の第１の光部品はミラーであり、前記複数の第２の光部品はミラー、コリメータレンズ、及びフィルタであり、前記第３の光部品はミラーであり、前記第４の光部品は、ミラーであることを特徴とする前記［１］乃至［３］の何れか１つに記載の光モジュール。
【００１３】
［５］前記ＴＯＳＡは、前記筐体内において、前記光アダプタ側に配置されることを特徴とする前記［１］乃至［４］の何れか１つに記載の光モジュール。
【００１４】
［６］前記複数の発光素子は、それぞれＣＡＮパッケージに収納された形態で前記ＴＯＳＡベースに配置されていることを特徴とする前記［１］乃至［５］の何れか１つに記載の光モジュール。
【００１５】
［７］前記複数の発光素子は、前記筐体の短辺方向に２つ並列配置される際に、前記筐体の長辺方向にずらして並列配置されることを特徴とする前記［１］乃至［６］の何れか１つに記載の光モジュール。
【００１６】
［８］前記複数の発光素子は、前記短辺方向に２つ並列配置された前記発光素子のそれぞれの列において、前記筐体の長辺方向に２つ並列配置されることを特徴とする前記［１］乃至［７］の何れか１つに記載の光モジュール。
【００１７】
［９］前記回路基板は、前記ＴＯＳＡが実装される第１のフレキシブル基板及び前記第１のフレキシブルと連結される第１のリジッド基板を備え、前記第１のフレキシブル基板は、前記ＴＯＳＡと対向する面に前記複数の発光素子と接続される複数の接合部を有することを特徴とする前記［１］乃至［８］の何れか１つに記載の光モジュール。
【００１８】
［１０］前記回路基板は、２階建て構造を有しており、２階部分として、前記第１のフレキシブル基板及び前記第１のリジッド基板を備え、１階部分として、連結フレキシブル基板を介して前記第１のリジッド基板と連結される第２のリジッド基板を備えることを特徴とする前記［９］に記載の光モジュール。
【００１９】
［１１］前記第１のリジッド基板には、送信用の部品が配置され、配線がなされていることを特徴とする前記［９］又は前記［１０］に記載の光モジュール。
【発明の効果】
【００２０】
本発明によれば、ＷＤＭ用小型光トランシーバ、例えばＱＳＦＰ＋規格に準拠したＷＤＭ用小型光トランシーバにおいても高密度実装を可能とする構造を備えた光モジュールを提供することができる。
【図面の簡単な説明】
【００２１】
【図１】本発明の第１の実施の形態に係る光モジュールの外観を示す斜視図である。
【図２】本発明の第１の実施の形態に係る光モジュール（上ケースを外した状態）の外観を示す斜視図である。
【図３】本発明の第１の実施の形態に係る光モジュールに用いられる光送受信アセンブリを示す斜視図である。
【図４】（ａ）は、図３の光送受信アセンブリの上面図であり、（ｂ）は、図３の光送受信アセンブリの下面図である。
【図５】図３の光送受信アセンブリに使用される回路基板の展開図である。
【図６】図３の光送受信アセンブリに使用されるＴＯＳＡの斜視図である。
【図７】図６のＴＯＳＡを構成するＴＯＳＡベースの斜視図である。
【図８】本発明の第２の実施の形態に係る光モジュールに用いられる光送受信アセンブリに使用される回路基板の展開図である。
【図９】本発明の第２の実施の形態に係る光モジュールに用いられる光送受信アセンブリに使用されるＴＯＳＡの斜視図である。
【図１０】（ａ）は、図９のＴＯＳＡの上面図（一部、透過図）であり、（ｂ）は、（ａ）におけるＢ−Ｂ線断面図である。
【図１１】（ａ）〜（ｄ）は、本発明の第２の実施の形態に係る光モジュールに使用されるＴＯＳＡの動作を説明する図である。
【発明を実施するための形態】
【００２２】
〔本発明の第１の実施の形態〕
（光モジュールの構成）
図１は、本発明の第１の実施の形態に係る光モジュールの外観を示す斜視図である。また、図２は、本発明の第１の実施の形態に係る光モジュール（上ケースを外した状態）の外観を示す斜視図である。
【００２３】
本発明の第１の実施の形態に係る光モジュール１は、ＱＳＦＰ＋規格に準拠したＷＤＭ用の光トランシーバである。
【００２４】
光モジュール１は、光モジュール１の筐体を構成する上ケース２及び下ケース３と、下ケース３に取り付けられた光アダプタ４と、筐体内に搭載される光送受信アセンブリ１０とを備える。
【００２５】
上ケース２及び下ケース３は、ＱＳＦＰ＋規格に準拠した大きさで形成されている。光アダプタ４は、光モジュール１のフロント側の端部に設置されており、光コネクタが差し込まれる差し込み口（ＴＸ：送信、ＲＸ：受信）を有する。
【００２６】
（光送受信アセンブリの構成）
図３は、本発明の第１の実施の形態に係る光モジュールに用いられる光送受信アセンブリを示す斜視図である。また、図４（ａ）は、図３の光送受信アセンブリの上面図であり、（ｂ）は、図３の光送受信アセンブリの下面図である。
【００２７】
光送受信アセンブリ１０は、４波ＷＤＭ用の光送受信アセンブリであり、回路基板２０と、回路基板２０に電気的に接続されるＴＯＳＡ３０及びＲＯＳＡ（Receiver Optical Sub Assembly）４０とを備える。
【００２８】
回路基板２０は、図２に示すように、光モジュール１の筐体内において、光アダプタ４とは離れて配置され、ＴＯＳＡ３０及びＲＯＳＡ４０は、光アダプタ４側に配置される。
【００２９】
回路基板２０には、外部装置と着脱可能なカードエッジ型のエッジコネクタ２６が設けられており、エッジコネクタ２６は、光モジュール１において、図２に示すように、光アダプタ４が設けられた端部とは逆側の端部に配置される。
【００３０】
回路基板２０の構造の詳細は後述するが、回路基板２０は、２階建て構造を有しており、２階部分（第１のリジッド基板としての上側リジッド基板２１、第１のフレキシブル基板としての上側フレキシブル基板２２）と１階部分（第２のリジッド基板としての下側リジッド基板２３、第２のフレキシブル基板としての下側フレキシブル基板２４）とは屈曲させた連結フレキシブル基板２５により連結されている。
【００３１】
図２に示すように、光モジュール１の筐体内において、上側リジッド基板２１及び下側リジッド基板２３は、光アダプタ４とは逆側に配置され、上側フレキシブル基板２２及び下側フレキシブル基板２４は、光アダプタ４側に配置される。
【００３２】
ＴＯＳＡ３０は、上側フレキシブル基板２２に実装され、上側フレキシブル基板２２と下側フレキシブル基板２４とに挟まれた状態で、光モジュール１の筐体内に収納される。ＲＯＳＡ４０は、下側フレキシブル基板２４に実装される。
【００３３】
（回路基板の構成）
図５は、図３の光送受信アセンブリに使用される回路基板の展開図である。
【００３４】
回路基板２０は、上側リジッド基板２１、上側フレキシブル基板２２、下側リジッド基板２３、下側フレキシブル基板２４（図４に示す。図５では省略）、連結フレキシブル基板２５、及びエッジコネクタ２６を備える。
【００３５】
回路基板２０の大きさは、ＱＳＦＰ＋規格に準拠した大きさで形成された上ケース２及び下ケース３に収納できるような大きさに調整される。
【００３６】
上側リジッド基板２１は、回路基板の２階部分を構成し、その両面には送信用の部品が実装され、配線がなされている。
【００３７】
上側フレキシブル基板２２は、上側リジッド基板２１と共に回路基板の２階部分を構成し、その下面（連結フレキシブル基板２５を屈曲させた際に下側フレキシブル基板２４と対向する内側面）側にＴＯＳＡ３０が実装され、下面には送信用の配線がなされている。光モジュール１の長手方向に上側リジッド基板２１と並んで下ケース３に収納できるように、上側フレキシブル基板２２の一端部が上側リジッド基板２１の光アダプタ４寄りの端部に連結される。
【００３８】
上側フレキシブル基板２２は、ＴＯＳＡ３０と対向する面（ＴＯＳＡベース対向面）に複数の発光素子（ＣＡＮパッケージ３２Ａ〜Ｄ）と接続される複数の接合部（ＣＡＮパッケージ接合部２２Ａ〜Ｄ）を有する。
【００３９】
ＣＡＮパッケージ接合部２２Ａ，２２Ｂは、上側フレキシブル基板２２において、上ケース２及び下ケース３の短辺方向に並列して設けられており、ＣＡＮパッケージ接合部２２Ｃは、ＣＡＮパッケージ接合部２２Ａに対して上ケース２及び下ケース３の長辺方向に並列して設けられ、ＣＡＮパッケージ接合部２２Ｄは、ＣＡＮパッケージ接合部２２Ｂに対して上ケース２及び下ケース３の長辺方向に並列して設けられている。並列して設けられたＣＡＮパッケージ接合部はそれぞれ、上ケース２及び下ケース３の短辺と平行に、かつ長辺と平行に設けられている。ＣＡＮパッケージ接合部の配置及び数は、後述するＴＯＳＡベースに形成されるＣＡＮパッケージ設置部の配置及び数に合わせて適宜、変更される。
【００４０】
ＣＡＮパッケージ接合部２２Ａ〜Ｄのそれぞれには、ＣＡＮパッケージの４本のリードピン３２ａを挿入するための孔が４つ設けられている。ＣＡＮパッケージ接合部２２Ａ〜Ｄは、ＣＡＮパッケージ３２Ａ〜Ｄと接合されることで、ＣＡＮパッケージ３２Ａ〜Ｄと電気的に接続される。
【００４１】
下側リジッド基板２３は、回路基板の１階部分を構成し、上面（連結フレキシブル基板２５を屈曲させた際に上側リジッド基板２１と対向する内側面）には制御系の部品が実装され、配線がなされており、下面（連結フレキシブル基板２５を屈曲させた際に上側リジッド基板２１と対向する内側面とは反対側の外側面）には受信用の部品が実装され、配線がなされている。
【００４２】
下側フレキシブル基板２４は、下側リジッド基板２３と共に回路基板の１階部分を構成し、その上面（連結フレキシブル基板２５を屈曲させた際に上側フレキシブル基板２２と対向する内側面）側にＲＯＳＡ４０が実装され、上面には受信用の配線がなされている。光モジュール１の長手方向に下側リジッド基板２３と並んで下ケース３に収納できるように、下側フレキシブル基板２４の一端部が下側リジッド基板２３の光アダプタ４寄りの端部に連結される。
【００４３】
なお、下側フレキシブル基板２４は、下側リジッド基板と接続するフレキシブル基板であることが好ましいが、下側リジッド基板２３を延長したリジッド基板、又は下側リジッド基板２３からフレキ部を延長したリジッドフレキシブル基板とすることもできる。
【００４４】
連結フレキシブル基板２５は、上側リジッド基板２１と下側リジッド基板２３とを長手方向のそれぞれの一側面で連結するものであり、本実施の形態においては、送信用の配線がなされている。
【００４５】
（ＴＯＳＡの構成）
図６は、図３の光送受信アセンブリに使用されるＴＯＳＡの斜視図である。図７は、図６のＴＯＳＡを構成するＴＯＳＡベースの斜視図である。
【００４６】
ＴＯＳＡ３０は、ＴＯＳＡベース３１と、ＴＯＳＡベース３１に形成された４つのＣＡＮパッケージ設置部３１Ａ〜Ｄ（円形凹状孔）に設置される４つのＣＡＮパッケージ３２Ａ〜Ｄと、ＴＯＳＡベース３１内に設置される光部品（ミラー、フィルタ、コリメータレンズ）と、ＴＯＳＡベース３１の光出射面（光アダプタ４側）に形成されたスリーブ設置部３１２に設置されるスリーブ３３とを備える。
【００４７】
ＴＯＳＡ３０の大きさは、回路基板２０の配置スペースを考慮しつつ、ＱＳＦＰ＋規格に準拠した大きさで形成された上ケース２及び下ケース３に収納できるような大きさに調整される。
【００４８】
ＴＯＳＡベース３１は、例えばＳＵＳ等の金属からなり、直方体形状を有し、上側フレキシブル基板２２と対向する面（図７における上面）にＣＡＮパッケージ設置部３１Ａ〜Ｄが形成されている。ＣＡＮパッケージ３２Ａ，３２Ｂが並列配置されるように、ＣＡＮパッケージ設置部３１Ａ，３１Ｂが上ケース２及び下ケース３の短辺方向に並列して形成されており、ＣＡＮパッケージ３２Ｃ，３２Ｄが並列配置されるように、ＣＡＮパッケージ設置部３１Ｃ，３１Ｄが上ケース２及び下ケース３の短辺方向に並列して形成されている。すなわち、ＣＡＮパッケージ設置部３１Ａ，３１Ｃは、上ケース２及び下ケース３の長辺方向に並列して形成されており、ＣＡＮパッケージ設置部３１Ｂ，３１Ｄは、上ケース２及び下ケース３の長辺方向に並列して形成されている。そして、並列して形成されたＣＡＮパッケージ設置部はそれぞれ、上ケース２及び下ケース３の短辺と平行に、かつ長辺と平行に並列して形成されている。本実施の形態においては、両列において長辺方向に２つ並列配置しているが、これに限られるものではなく、一方の列のみ並列配置としてもよい。また、３つ以上並列配置としてもよいが、小型化の観点からは３つ以下の並列配置が好ましい。
【００４９】
ＣＡＮパッケージ３２Ａ〜Ｄはそれぞれ、光信号を出射する発光素子としてのＬＤ（レーザーダイオード）（図示省略）と、ＣＡＮパッケージ接合部２２Ａ〜Ｄの孔に挿入され接合されるリードピン３２ａと、発光された光を集光するレンズ（図示省略）とを備える。市販のＣＡＮパッケージをＣＡＮパッケージ３２Ａ〜Ｄとして使用することができる。
【００５０】
４つのＣＡＮパッケージ３２Ａ〜Ｄは、ＬＤ（レーザーダイオード）が上側フレキシブル基板２２と対向するＴＯＳＡベース３１の面とは反対側の面に向かって発光する向きで、すなわち、ＣＡＮパッケージ設置部が設けられた面に対し垂直方向かつ上側フレキシブル基板２２の方向にリードピン３２ａが向くように、ＣＡＮパッケージ設置部３１Ａ〜Ｄに設置される。
【００５１】
光部品であるミラー、フィルタ、及びコリメータレンズは、ＴＯＳＡベース３１内に形成された光通路内に設置される。
【００５２】
スリーブ３３は、市販されているものを使用することができ、光アダプタ４のＴＸに挿入された光コネクタと光接続される。
【００５３】
（ＴＯＳＡの動作説明）
ＬＤ（レーザーダイオード）から上側フレキシブル基板２２と対向するＴＯＳＡベース３１の面（図６における上面）とは反対側の面（図６における下面）に向かって発光された光は、先ず４つのＣＡＮパッケージ３２Ａ〜Ｄの直下に設置されたミラーにてそれぞれ反射され、その後、光通路に設置されたコリメータレンズを通過して平行光とされ、更にミラー又はフィルタによって反射され、必要に応じフィルタを通過した後、各光（４波）が合波されて波長多重光となり、これがミラーで反射されて方向を変え、最終的にスリーブ３３を経て出射される。
【００５４】
ミラー等の光部品は、ＣＡＮパッケージの配置やＴＯＳＡベースの大きさ等に合わせて適宜、設置可能であるが、ＣＡＮパッケージ３２Ａ〜Ｄの直下に設置されたミラーと同一平面上で波長多重光とし、その後、上側フレキシブル基板２２と対向するＴＯＳＡベース３１の面（図６における上面）に向かうように当該波長多重光の方向を変え、更に光出射面（スリーブ３３が設置された面）に向かって方向を変えるように、設置されることが好ましい。
【００５５】
（ＲＯＳＡの構成）
ＲＯＳＡ４０は、公知のＲＯＳＡを適宜、用いることができる。
【００５６】
（本発明の第１の実施の形態の効果）
本実施の形態によれば、以下の効果を奏する。
（１）ＷＤＭ用小型光トランシーバ、例えばＱＳＦＰ＋規格に準拠したＷＤＭ用小型光トランシーバにおいても高密度実装を可能とする構造を備えた光モジュールを提供することができる。
【００５７】
（２）リジッド基板間にはＴＯＳＡを配置せず、リジッド基板(例えば１．０ｍｍ)よりも薄いフレキシブル基板（例えば０．２ｍｍ）にＴＯＳＡを実装するため、厚さ方向の小型化が可能となる、或いはＴＯＳＡの寸法を大きく取れる。また、リジッド基板の面積を縦横に広く取ることができるため、部品の配置の自由度が増し、かつ配線効率が良い。また、特にカードエッジに配線をするときに、狭ピッチ配線を減らせるため、クロストークの影響を軽減できる。
【００５８】
（３）送信側高速配線(上側リジッド基板両面)と、受信側高速配線(下側リジッド基板の下面（上側リジッド基板と対向しない面)）との間を離すことができるため、クロストークの影響が軽減できる。
【００５９】
（４）上側リジッド基板との連結部位において上側フレキシブル基板に曲げを加えることでＴＯＳＡの大きさに合わせて高さ調節ができる。
【００６０】
（５）ＴＯＳＡベースにおいてＣＡＮパッケージを上面に２×２で並列配置させる構成としたため、部品配置をコンパクト化できる。
【００６１】
（６）ＴＯＳＡベースにおいてＣＡＮパッケージを並行配置させる構成としたため、送信側高速配線長を短くできる。
【００６２】
〔本発明の第２の実施の形態〕
図８は、本発明の第２の実施の形態に係る光モジュールに用いられる光送受信アセンブリに使用される回路基板の展開図である。また、図９は、本発明の第２の実施の形態に係る光モジュールに用いられる光送受信アセンブリに使用されるＴＯＳＡの斜視図である。
【００６３】
本発明の第２の実施の形態に係る光モジュールは、回路基板及びＴＯＳＡの構造が上記第１の実施の形態に係る光モジュールと異なる。
【００６４】
すなわち、第１の実施の形態が上側フレキシブル基板２２を備える回路基板２０であったのに対し、第２の実施の形態は上側フレキシブル基板２２とは異なる構造の上側フレキシブル基板１２２を備える回路基板１２０である点で相違する。また、第１の実施の形態がＴＯＳＡベース３１を備えるＴＯＳＡ３０であるのに対し、第２の実施の形態はＴＯＳＡベース３１とは異なる構造のＴＯＳＡベース１３１を備えるＴＯＳＡ１３０である点で相違する。
【００６５】
ＴＯＳＡベース１３１は、ＴＯＳＡベース３１とほぼ同様にＣＡＮパッケージ設置部が形成されているが、ＴＯＳＡベース３１のＣＡＮパッケージ設置部がケース短辺と平行に並列して形成されていたのに対し、ＴＯＳＡベース１３１では、図９に示すように、ケース短辺方向に２つ並列して形成される際に、ケース長辺方向にずらして形成される点で異なる。ずらす量は、ＣＡＮパッケージの直径の１／４〜３／４の長さ分であることが好ましく、ＣＡＮパッケージの直径の１／２の長さ分（すなわち、半径の長さ分）であることがより好ましい。
【００６６】
上側フレキシブル基板１２２は、ＴＯＳＡベース１３１のＣＡＮパッケージ設置部に設置されたＣＡＮパッケージ３２Ａ〜Ｄと接合できるように設けられたＣＡＮパッケージ接合部１２２Ａ〜Ｄを有する。すなわち、上側フレキシブル基板２２のＣＡＮパッケージ接合部がケース短辺と平行に並列して設けられていたのに対し、ＴＯＳＡベース１３１では、図８に示すように、ケース短辺方向に２つ並列して設けられる際に、ケース長辺方向にずらして設けられる点で異なる。
【００６７】
（ＴＯＳＡの動作説明）
図１０（ａ）は、図９のＴＯＳＡの上面図（一部、透過図）であり、（ｂ）は、（ａ）におけるＢ−Ｂ線断面図である。また、図１１（ａ）〜（ｄ）は、本発明の第２の実施の形態に係る光モジュールに使用されるＴＯＳＡの動作を説明する図である。
【００６８】
図１１において、各ＣＡＮパッケージから出射された光の経路を矢印で示しており、当該経路に沿ってＴＯＳＡベース３１内部に光通路が形成されている。
【００６９】
以下に、光の経路を具体的に説明する。
ＣＡＮパッケージ３２Ａから出射された光は、図１１（ａ）に示すように、ＣＡＮパッケージ３２Ａの直下に設けられたミラー３４Ａで反射されて方向を変え、光通路に設置されたコリメータレンズ３５Ａを通過して平行光とされ、次にフィルタ３６Ａで反射されて方向を変えたところでＣＡＮパッケージ３２Ｃから出射された光と合波されて多重光とされ、更にミラー３７で反射されて方向を変え、フィルタ３８へ向かう。
【００７０】
ＣＡＮパッケージ３２Ｂから出射された光は、図１１（ｂ）に示すように、ＣＡＮパッケージ３２Ｂの直下に設けられたミラー３４Ｂで反射されて方向を変え、光通路に設置されたコリメータレンズ３５Ｂを通過して平行光とされ、次にフィルタ３６Ｂで反射されて方向を変えたところでＣＡＮパッケージ３２Ｄから出射された光と合波されて多重光とされ、フィルタ３８へ向かう。
【００７１】
ＣＡＮパッケージ３２Ｃから出射された光は、図１１（ｃ）に示すように、ＣＡＮパッケージ３２Ｃの直下に設けられたミラー３４Ｃで反射されて方向を変え、光通路に設置されたコリメータレンズ３５Ｃを通過して平行光とされ、次にミラー３６Ｃで反射されて方向を変えた後、フィルタ３６Ａを通過したところでＣＡＮパッケージ３２Ａから出射された光と合波されて多重光とされ、更にミラー３７で反射されて方向を変え、フィルタ３８へ向かう。
【００７２】
ＣＡＮパッケージ３２Ｄから出射された光は、図１１（ｄ）に示すように、ＣＡＮパッケージ３２Ｄの直下に設けられたミラー３４Ｄで反射されて方向を変え、光通路に設置されたコリメータレンズ３５Ｄを通過して平行光とされ、次にミラー３６Ｄで反射されて方向を変えた後、フィルタ３６Ｂを通過したところでＣＡＮパッケージ３２Ｂから出射された光と合波されて多重光とされ、フィルタ３８へ向かう。
【００７３】
多重光とされたＣＡＮパッケージ３２Ａ，３２Ｃから出射された各光信号は、フィルタ３８で反射された後、及び多重光とされたＣＡＮパッケージ３２Ｂ，３２Ｄから出射された各光信号は、フィルタ３８を通過した後、それぞれが合波され、４波長多重光となり、これがミラー３９Ａで反射されて方向を変え、更にミラー３９Ｂで反射されて方向を変え、スリーブ３３を経て出射される。
【００７４】
本実施の形態においては、ミラー３９Ｂ以外の光部品は同一平面上に設けられているが、これに限られるものではない。例えば、ミラー３７及びフィルタ３８の位置における反射によって、ＴＯＳＡベース１３１の上面（上側フレキシブル基板２２と対向する面）に向かうように各２波長多重光の方向を変え、その後、４波が合波するように、ミラー３９Ｂに換えて複数のミラーを配置する構成としてもよい。
【００７５】
また、本実施の形態においては、反射により方向を変える際は、略９０°の角度で反射するように各光部品が設置されているが、これに限られるものではない。
【００７６】
（本発明の第２の実施の形態の効果）
本実施の形態によれば、上記第１の実施の形態と同様の効果を奏する。
２×２で並行かつ平行配置させている第１の実施の形態の方がより小型化できる点においては第２の実施の形態よりも好ましいが、ミラー等の光部品の配置を設計しやすい点においては第１の実施の形態よりも第２の実施の形態の方が好ましい。
【００７７】
以上、本発明の実施の形態を説明したが、本発明は、これらの実施の形態に限定されず、発明の主旨を逸脱しない範囲内において種々変形実施が可能である。
【符号の説明】
【００７８】
１：光モジュール、２：上ケース、３：下ケース、４：光アダプタ
１０：光送受信アセンブリ
２０，１２０：回路基板、３０，１３０：ＴＯＳＡ、４０：ＲＯＳＡ
２１：上側リジッド基板（第１のリジッド基板）
２２，１２２：上側フレキシブル基板（第１のフレキシブル基板）
２３：下側リジッド基板（第２のリジッド基板）
２４：下側フレキシブル基板（第２のフレキシブル基板）
２５：連結フレキシブル基板、２６：エッジコネクタ
２２Ａ〜Ｄ，１２２Ａ〜Ｄ：ＣＡＮパッケージ接合部
２２ａ：リードピン挿入孔
３１，１３１：ＴＯＳＡベース
３１Ａ〜Ｄ：ＣＡＮパッケージ設置部、３１２：スリーブ設置部
３２Ａ〜Ｄ：ＣＡＮパッケージ、３２ａ：リードピン
３３，１３３：スリーブ
３４Ａ〜Ｄ：ミラー（第１の光部品）
３５Ａ〜Ｄ：コリメータレンズ（第２の光部品）
３６Ａ，Ｂ：フィルタ（第２の光部品）
３６Ｃ，Ｄ：ミラー（第２の光部品）
３７：ミラー（第２の光部品）
３８：フィルタ（第２の光部品）
３９Ａ：ミラー（第３の光部品）
３９Ｂ：ミラー（第４の光部品）
【図１】
0005891932.tif 000002
【図２】
0005891932.tif 000003
【図３】
0005891932.tif 000004
【図４】
0005891932.tif 000005
【図５】
0005891932.tif 000006
【図６】
0005891932.tif 000007
【図７】
0005891932.tif 000008
【図８】
0005891932.tif 000009
【図９】
0005891932.tif 000010
【図１０】
0005891932.tif 000011
【図１１】
0005891932.tif 000012